(57)【要約】【課題】簡潔な構成で学習機能を有するリモコン装置およびリモコン操作コード学習方法を提供する。【解決手段】ＨＤＤレコーダリモコン２Ａの赤外線信号をデジタルテレビ１の受信部１Ｂを介して受信し、操作コードをデジタルテレビ１のマイコン１０７において解析して数字列１４０ｄに変換し、数字列１４０ｄを表示部１０６Ａに表示して、テレビリモコン１Ａの数字キー１３を用いて入力することにより、テレビリモコン１ＡはＨＤＤレコーダ２の操作コードを学習する。つまり、マイコン１０７および１１１にソフトウエアをインストールして、コード解析処理部１０７ａおよびコード登録部１１１ａをそれぞれ設けることで、デジタルテレビ１およびテレビリモコン１Ａに新たな構成を追加することなく、テレビリモコン１Ａは学習機能を有することができる。【選択図】図１Ａ
2008301049.tif 000002
【特許請求の範囲】
【請求項１】
操作コードを含む光信号を受信する受信部と、前記受信部において受信した前記光信号に含まれる前記操作コードを解析し、解析結果を外部に出力する制御部とを備えた電子機器と、
操作キーと、不揮発性メモリと、前記解析結果と前記操作キーの入力を対応付けて前記操作コードを前記不揮発性メモリに登録する制御部とを備えたリモコンとを有することを特徴とするリモコン装置。
【請求項２】
前記電子機器は表示部を有し、前記表示部に前記解析結果を表示することによって前記解析結果を外部に出力することを特徴とする請求項１に記載のリモコン装置。
【請求項３】
前記電子機器の前記制御部は、前記解析結果として数字列を前記表示部に表示することを特徴とする請求項２に記載のリモコン装置。
【請求項４】
前記電子機器は、デジタルテレビであり、
前記リモコンは、前記デジタルテレビを操作する前記操作キーを有することを特徴とする請求項１に記載のリモコン装置。
【請求項５】
操作コードを含む光信号を受信する受信部と、情報を表示する表示部と、前記受信部において受信した前記光信号の前記操作コードを解析し、解析結果を前記表示部に出力する制御部とを備えた電子機器と、
操作キーと、不揮発性メモリと、前記表示部に表示された前記解析結果と前記操作キーの入力を対応付けて前記操作コードを前記不揮発性メモリに登録する制御部とを備えたリモコンとを有することを特徴とするリモコン装置。
【請求項６】
前記電子機器の前記制御部は、前記解析結果として数字列を前記表示部に表示して出力することを特徴とする請求項５に記載のリモコン装置。
【請求項７】
前記電子機器は、デジタルテレビであり、
前記リモコンは、前記デジタルテレビを操作する前記操作キーを有することを特徴とする請求項５に記載のリモコン装置。
【請求項８】
操作コードを含む赤外線信号を受信する受信ステップと、
受信した前記赤外線信号の操作コードを解析して解析結果を出力する解析ステップと、
前記解析結果を外部に出力する出力ステップと、
前記解析結果とリモコンの操作キーの入力を対応付けて前記操作コードを前記不揮発性メモリに登録する登録ステップとを有することを特徴とするリモコン操作コード学習方法。
【請求項９】
前記解析ステップは、前記解析結果として数字列を出力することを特徴とする請求項８に記載のリモコン操作コード学習方法。
【発明の詳細な説明】
【技術分野】
【０００１】
本発明は、リモートコントローラ（以下、「リモコン」という）装置およびリモコン操作コード学習方法に関する。
【背景技術】
【０００２】
従来の技術として、挿抜可能な受信部を備えたリモコン装置がある（例えば、特許文献１参照）。
【０００３】
このリモコン装置は、赤外線信号受信用のフォトダイオードとフォトダイオードによって光電変換された電気信号を出力するためのプラグを有する受信部と、受信部のプラグが装着されるジャックを有するとともに学習機能を有するリモコンと、受信部のプラグが装着されるジャックを有する電子機器とからなる。
【０００４】
このリモコン装置は、まずリモコンに受信部を装着して、電子機器のリモコンから赤外線信号の受光に基づく操作コード信号をリモコンに内蔵されたマイコンに入力することで、電子機器の操作コードを学習することができる。次に電子機器に受信部を装着してリモコンからの赤外線信号を受信することで、リモコンで電子機器を遠隔操作することが可能となる。
【０００５】
特許文献１に記載されるリモコン装置によると、受信部を単体で用意して、リモコンと電子機器において受信部を共用したことにより、リモコンに受信部を内蔵する必要がなく、製造コストを減少させることができる。
【特許文献１】特開平２−７６３９９号公報
【発明の開示】
【発明が解決しようとする課題】
【０００６】
しかし、従来のリモコン装置によると、受信部を共用にするためにジャックやプラグを設ける必要があり、またリモコンに操作コードを解析するための構成を必要とするため、一般的なリモコン装置に比べて構成が複雑になるという問題がある。
【０００７】
従って、本発明の目的は、簡潔な構成で学習機能を有するリモコン装置およびリモコン操作コード学習方法を提供することにある。
【課題を解決するための手段】
【０００８】
（１）本発明は上記目的を達成するため、操作コードを含む光信号を受信する受信部と、前記受信部において受信した前記光信号に含まれる前記操作コードを解析し、解析結果を外部に出力する制御部とを備えた電子機器と、操作キーと、不揮発性メモリと、前記解析結果と前記操作キーの入力を対応付けて前記操作コードを前記不揮発性メモリに登録する制御部とを備えたリモコンとを有することを特徴とするリモコン装置を提供する。
【０００９】
上記した構成によれば、電子機器において操作コードを解析し、解析結果をリモコンの操作キーで入力することでリモコンに操作コードを登録するため、電子機器およびリモコンに新たな構成を追加することなく学習機能を有するリモコン装置を達成できる。
【００１０】
（２）また、本発明は上記目的を達成するため、操作コードを含む光信号を受信する受信部と、情報を表示する表示部と、前記受信部において受信した前記光信号の前記操作コードを解析し、解析結果を前記表示部に出力する制御部とを備えた電子機器と、操作キーと、不揮発性メモリと、前記表示部に表示された前記解析結果と前記操作キーの入力を対応付けて前記操作コードを前記不揮発性メモリに登録する制御部とを備えたリモコンとを有することを特徴とするリモコン装置を提供する。
【００１１】
上記した構成によれば、電子機器において操作コードを解析し、表示部に表示された解析結果をリモコンの操作キーで入力することでリモコンに操作コードを登録するため、電子機器およびリモコンに新たな構成を追加することなく学習機能を有するリモコン装置を達成できる。
【００１２】
（３）また、本発明は上記目的を達成するため、操作コードを含む赤外線信号を受信する受信ステップと、受信した前記赤外線信号の操作コードを解析して解析結果を出力する解析ステップと、前記解析結果を外部に出力する出力ステップと、前記解析結果とリモコンの操作キーの入力を対応付けて前記操作コードを前記不揮発性メモリに登録する登録ステップとを有することを特徴とするリモコン操作コード学習方法を提供する。
【００１３】
上記した方法によれば、（１）と同様の効果を有するリモコン操作コード学習方法を達成できる。
【発明の効果】
【００１４】
本発明によれば、簡潔な構成でリモコン装置に学習機能を追加できる。
【発明を実施するための最良の形態】
【００１５】
以下に、本発明のリモコン装置の実施の形態を、図面を参照して詳細に説明する。
【００１６】
（構  成）
図１Ａは、本発明の実施の形態に係るリモコン装置を示す概略図である。
【００１７】
リモコン装置１０００は、アンテナから地上デジタル放送波を受信し復調して表示、または外部入力から映像信号を受信して表示するデジタルテレビ１と、キー操作によりデジタルテレビ１を制御するテレビリモコン１Ａとを有する。
【００１８】
デジタルテレビ１は、映像情報を表示する表示部１０６Ａと、音声を出力するスピーカ１０６Ｂとを有し、放送および外部入力からの映像信号を記録し、記録したコンテンツを外部に出力可能なＨＤＤ（Hard Disc Drive）レコーダ２とＡＶ（Audio and Visual）ケーブル３で接続されている。
【００１９】
テレビリモコン１Ａは、デジタルテレビ１を操作する専用リモコンであるが、他の機器の操作コードを登録することのできる登録キー１５を有する。ＨＤＤレコーダリモコン２Ａは、ＨＤＤレコーダ２専用のリモコンで、キー操作によりＨＤＤレコーダ２を制御する。
【００２０】
図１Ｂは、本発明の実施の形態に係るテレビリモコンを示す正面図である。
【００２１】
テレビリモコン１Ａは、各キーに割り当てられた操作コードを赤外線信号として外部に出力する送信部１０と、デジタルテレビ１の電源入と電源切とを切り替える電源キー１１と、デジタルテレビ１のスピーカ１０６Ｂの出力音量を変化させる音量キー１２と、チャンネル切り替えや数字入力等の操作に用いる数字キー１３と、他の機器の操作コードを割り振る登録作業の開始を制御する登録開始キー１４と、他の機器の操作コードを登録する複数のキーを備えた登録キー１５とを有する。
【００２２】
図２Ａは、本発明の実施の形態に係るデジタルテレビの構成を示すブロック図である。
【００２３】
デジタルテレビ１は、アンテナ１０１Ａを介して地上デジタルテレビ放送波を受信してチャンネル選択するチューナ１０１と、チューナ１０１の出力を復調するデジタル復調器１０２と、デジタル復調器１０２の出力を映像データ、音声データ、字幕データ等の種別に分別して処理するＴＳ（Transport Steam）デコーダ１０３と、ＴＳデコーダ１０３の映像データおよび字幕データの出力をデコードするビデオデコーダ１０４Ａと、ビデオデコーダ１０４Ａの出力を表示用の映像信号に変換して出力する映像出力処理部１０５Ａと、映像出力処理部１０５Ａの出力をＬＣＤ（Liquid Crystal Display）に表示する表示部１０６Ａと、ＴＳデコーダ１０３の音声データの出力をデコードするオーディオデコーダ１０４Ｂと、オーディオデコーダ１０４Ｂの出力を音声信号に変換して出力する音声出力処理部１０５Ｂと、音声出力処理部１０５Ｂから入力する音声信号に基づいて音声出力するスピーカ１０６Ｂと、各部を制御するとともに、外部機器のリモコンから受信した操作コードを解析して処理するコード解析処理部１０７ａを有するマイコン１０７と、テレビリモコン１Ａから送信される赤外線信号を受信する受信部１Ｂとを有する。
【００２４】
図２Ｂは、本発明の実施の形態に係るテレビリモコンの構成を示すブロック図である。
【００２５】
テレビリモコン１Ａは、各キーに対応したスイッチ群であるキーマトリクス１１０と、キーマトリクス１１０からの出力に対応付けて操作コードを登録するコード登録部１１１ａを有し、図示しないＲＡＭ（Random Access Memory）とＲＯＭ（Read Only Memory）を内蔵するマイコン１１１と、コード登録部１１１ａが登録する操作コードを記憶するフラッシュメモリ１１２と、マイコン１１１から出力される操作コードを赤外線信号に電光変換して出力する送信部１１３とを有する。
【００２６】
キーマトリクス１１０は、図１Ｂに示すキー配列に対応した複数のスイッチを有し、電源スイッチ１１０ａは電源キー１１に、音量スイッチ１１０ｂは音量キー１２に、数字スイッチ１１０ｃは数字キー１３に、登録開始スイッチ１１０ｄは登録開始キー１４に、登録スイッチ１１０ｅは登録キー１５にそれぞれ対応する。
【００２７】
図３（ａ）から（ｆ）は、本発明の実施の形態に係るリモコン登録画面を示す操作概略図である。
【００２８】
最初に、ユーザーがテレビリモコン１Ａの登録開始キー１４を押下し、デジタルテレビ１を操作することで図３（ａ）に示すリモコン登録画面１４０が表示部１０６Ａに表示される。デジタルテレビ１は、リモコン登録画面１４０にユーザーに対して操作を促すメッセージ１４０ａを表示する。
【００２９】
次に、図３（ａ）のメッセージ１４０ａに従って、ユーザーがＨＤＤレコーダリモコン２Ａの所望のキー、例えば、電源キーを押下すると、デジタルテレビ１は、リモコン登録画面１４０に図３（ｂ）に示すメッセージ１４０ｂを表示する。
【００３０】
次に、図３（ｂ）のメッセージ１４０ｂに従って、ユーザーがテレビリモコン１Ａの登録開始キー１４を押下すると、デジタルテレビ１は、リモコン登録画面１４０に図３（ｃ）に示すメッセージ１４０ｃと、ＨＤＤレコーダリモコン２Ａの電源キーの操作コードに対応した数字列１４０ｄとを表示する。
【００３１】
次に、メッセージ１４０ｃに従い、ユーザーがテレビリモコン１Ａの数字キー１３を用いて数字列１４０ｄを押下すると、デジタルテレビ１は、入力された数字を入力数字列１４０ｅとして表示する。
【００３２】
数字列１４０ｄをすべて入力し終えると、デジタルテレビ１は、図３（ｅ）に示すメッセージ１４０ｆを表示する。
【００３３】
次に、ユーザーがメッセージ１４０ｆに従ってテレビリモコンの登録キー１５、例えば、「登録２」を押下すると、ＨＤＤレコーダリモコン２Ａの電源キーの操作コードが「登録２」に割り付けられ、デジタルテレビ１は、リモコン登録画面１４０に図３（ｆ）に示すメッセージ１４０ｇを表示する。
【００３４】
（動  作）
以下に、本発明の実施の形態におけるリモコン装置の動作を各図を参照しつつ説明する。
【００３５】
図４は、本発明の実施の形態に係るリモコン装置の動作を示す概略図である。
【００３６】
まず、ユーザーは、テレビリモコン１Ａの送信部１０をデジタルテレビ１に向けて登録開始キー１４を押下する（Ｓ１）。デジタルテレビ１は、登録開始キー１４の操作コードを含む赤外線信号を受信部１Ｂを介して受信し、コード解析処理部１０７ａは、操作コードを処理してリモコン登録モードに移行する（Ｓ２）。次に、コード解析処理部１０７ａは、表示部１０６Ａにメッセージ１４０ａとともにリモコン登録画面１４０を表示して、ユーザーに登録したい他の機器のリモコンキーを押下するように促す（Ｓ３）。
【００３７】
次に、登録を希望するキーとして、ユーザーがＨＤＤレコーダリモコン２Ａの電源キーを押下すると（Ｓ４）、ＨＤＤレコーダリモコン２Ａは赤外線信号を送信し、デジタルテレビ１のコード解析処理部１０７ａは、受信部１Ｂを介して操作コードを受信し（Ｓ５）、受信した操作コードを解析する（Ｓ６）。
【００３８】
次に、コード解析処理部１０７ａは、表示部１０６Ａにメッセージ１４０ｂを表示して、テレビリモコン１Ａの登録開始キー１４を押下するように促す（Ｓ７）。ユーザーがテレビリモコン１Ａの登録開始キー１４を押下すると（Ｓ８）、テレビリモコン１Ａのコード登録部１１１ａが登録を開始する準備状態となる（Ｓ９）。
【００３９】
デジタルテレビ１のコード解析処理部１０７ａは、受信部１Ｂを介して登録開始操作を受信し、登録開始を確認する（Ｓ１０）。次に、コード解析処理部１０７ａは、操作コードをテレビリモコン１Ａのコード登録部１１１ａに対応した数字列へと変換し、表示部１０６Ａにメッセージ１４０ｃとともに数字列１４０ｄを表示し、ユーザーに数字キー１３を用いて数字列を入力するように促す（Ｓ１１）。
【００４０】
ユーザーがテレビリモコン１Ａの数字キー１３を用いて数字列を入力すると（Ｓ１２）、デジタルテレビ１のコード解析処理部１０７ａは、入力された数字列を入力数字列１４０ｅとして表示部１０６Ａに表示する（Ｓ１４）。ユーザーによる数字列入力が完了すると、コード登録部１１１ａは、数字列を操作コードに変換し、変換された操作コードをフラッシュメモリ１１２に書き込む（Ｓ１３）。
【００４１】
また、デジタルテレビ１のコード解析処理部１０７ａは、ユーザーが数字列を入力完了したことを確認すると（Ｓ１５）、表示部１０６Ａにメッセージ１４０ｆを表示し、テレビリモコン１Ａの登録キー１５を押下するよう促す（Ｓ１６）。
【００４２】
ユーザーが、例えば、テレビリモコン１Ａの登録キー１５の「登録２」を押下すると（Ｓ１７）、コード登録部１１１ａは「登録２」に操作コードを割り付けてフラッシュメモリ１１２に登録する（Ｓ１８）。また、ユーザーが登録キー１５を押下すると、デジタルテレビ１のコード解析処理部１０７ａは、テレビリモコン１Ａにおいて操作コードが登録キー１５の「登録２」に登録されたことを理解し、表示部１０６Ａにメッセージ１４０ｇを表示し（Ｓ１９）、リモコン登録モードを終了する（Ｓ２０）。
【００４３】
（効  果）
上記した本実施の形態によると、ＨＤＤレコーダリモコン２Ａの赤外線信号をデジタルテレビ１の受信部１Ｂを介して受信し、操作コードをデジタルテレビ１のマイコン１０７において解析して数字列１４０ｄに変換し、数字列１４０ｄを表示部１０６Ａに表示して、テレビリモコン１Ａの数字キー１３を用いて入力することにより、テレビリモコン１ＡはＨＤＤレコーダ２の操作コードを学習する。
【００４４】
つまり、マイコン１０７および１１１にソフトウエアをインストールして、コード解析処理部１０７ａおよびコード登録部１１１ａをそれぞれ設けることで、デジタルテレビ１およびテレビリモコン１Ａに新たな構成を追加することなく、テレビリモコン１Ａは学習機能を有することができる。
【００４５】
なお、コードを解析するのはデジタルテレビ１に限らず、受信部１Ｂとコード解析処理部１０７ａを有し、テレビリモコン１Ａに操作方法を示すことのできるインジケータを有するものであれば種類を問わない。また、数字列１４０ｄに限らず、英字等の他の文字列、記号や、音声および振動等の他の表示形態を用いてもよい。また、本実施の形態において述べた操作方法は一例であり、キーの入力方法、キーの割り当て等は本発明の趣旨を逸脱しない範囲で変更可能である。
【図面の簡単な説明】
【００４６】
【図１Ａ】本発明の実施の形態に係るリモコン装置を示す概略図である。
【図１Ｂ】本発明の実施の形態に係るテレビリモコンを示す正面図である。
【図２Ａ】本発明の実施の形態に係るデジタルテレビの構成を示すブロック図である。
【図２Ｂ】本発明の実施の形態に係るテレビリモコンの構成を示すブロック図である。
【図３】（ａ）から（ｆ）は、本発明の実施の形態に係るリモコン登録画面を示す概略図である。
【図４】本発明の実施の形態に係るリモコン装置の動作を示すフローチャートである。
【符号の説明】
【００４７】
１…デジタルテレビ、１Ａ…テレビリモコン、１Ｂ…受信部、２…ＨＤＤレコーダ、２Ａ…ＨＤＤレコーダリモコン、２Ｂ…受信部、３…ＡＶケーブル、１０…送信部、１１…電源キー、１２…音量キー、１３…数字キー、１４…登録開始キー、１５…登録キー、１０１…チューナ、１０１Ａ…アンテナ、１０２…デジタル復調器、１０３…ＴＳデコーダ、１０４Ａ…ビデオデコーダ、１０４Ｂ…オーディオデコーダ、１０５Ａ…映像出力処理部、１０５Ｂ…音声出力処理部、１０６Ａ…表示部、１０６Ｂ…スピーカ、１０７…マイコン、１０７ａ…コード解析処理部、１１０…キーマトリクス、１１０ａ…電源スイッチ、１１０ｂ…音量スイッチ、１１０ｃ…数字スイッチ、１１０ｅ…登録スイッチ、１１０ｄ…登録開始スイッチ、１１１…マイコン、１１１ａ…コード登録部、１１２…フラッシュメモリ、１１３…送信部、１４０…リモコン登録画面、１４０ａ…メッセージ、１４０ｂ…メッセージ、１４０ｃ…メッセージ、１４０ｄ…数字列、１４０ｅ…入力数字列、１４０ｆ…メッセージ、１４０ｇ…メッセージ、１０００…リモコン装置
【図１Ａ】
2008301049.tif 000003
【図１Ｂ】
2008301049.tif 000004
【図２Ａ】
2008301049.tif 000005
【図２Ｂ】
2008301049.tif 000006
【図３】
2008301049.tif 000007
【図４】
2008301049.tif 000008